(57)【要約】【課題】無線ポートの受信信号に対する処理を変更可能にして、簡易に測定系を構築することができる移動端末試験装置を提供すること。【解決手段】無線信号の送受信を行なう第１の無線ポート１０１、第３の無線ポート１０３と、第１の無線ポート１０１、第３の無線ポート１０３にアップリンクのＰＣＣ信号とアップリンクのＳＣＣ信号を合わせた信号が入力される場合、第１の無線ポート１０１または第３の無線ポート１０３の受信周波数をアップリンクのＰＣＣ信号の周波数に変更させてアップリンクのＰＣＣ信号の試験を行なわせ、第１の無線ポート１０１または第３の無線ポート１０３の受信周波数をアップリンクのＳＣＣ信号の周波数に変更させてアップリンクのＳＣＣ信号の試験を行なわせる制御部１５と、を備える。【選択図】図１
2016116181.tif 000002
【特許請求の範囲】
【請求項１】
移動端末との間で無線信号を送信または送受信する複数の無線ポートを有し、前記無線ポートはアンテナ構成がそれぞれ異なる各移動端末の当該アンテナと接続可能な移動端末試験装置であって、
前記複数の無線ポートの一部をなす送受信無線ポート（１０１、１０３）と、
前記送受信無線ポートにアップリンクのプライマリコンポーネントキャリア信号とアップリンクのセカンダリコンポーネントキャリア信号を合わせた信号が入力される場合、前記送受信無線ポートの受信周波数を前記アップリンクのプライマリコンポーネントキャリア信号の周波数に変更させて前記アップリンクのプライマリコンポーネントキャリア信号の試験を行なわせ、前記送受信無線ポートの受信周波数を前記アップリンクのセカンダリコンポーネントキャリア信号の周波数に変更させて前記アップリンクのセカンダリコンポーネントキャリア信号の試験を行なわせる制御部（１５）と、を備える移動端末試験装置。
【請求項２】
前記制御部は、前記アップリンクのプライマリコンポーネントキャリア信号と前記アップリンクのセカンダリコンポーネントキャリア信号の周波数が隣接している場合、前記アップリンクのプライマリコンポーネントキャリア信号と前記アップリンクのセカンダリコンポーネントキャリア信号の周波数帯域を合算した帯域で受信させて試験を実施させる請求項１に記載の移動端末試験装置。
【請求項３】
前記制御部は、試験実施前に、ＴＰＣコマンドにより前記アップリンクのプライマリコンポーネントキャリア信号と前記アップリンクのセカンダリコンポーネントキャリア信号の出力レベルを調整させる請求項１または２に記載の移動端末試験装置。
【請求項４】
前記制御部は、試験実施中に、ＴＰＣコマンドにより前記アップリンクのプライマリコンポーネントキャリア信号と前記アップリンクのセカンダリコンポーネントキャリア信号の出力レベルを固定させる請求項１から３のいずれか１項に記載の移動端末試験装置。
【請求項５】
移動端末との間で無線信号を送受信する送受信無線ポートを有する移動端末試験装置のアップリンク信号試験方法であって、
前記送受信無線ポートにアップリンクのプライマリコンポーネントキャリア信号とアップリンクのセカンダリコンポーネントキャリア信号を合わせた信号が入力される場合、
前記送受信無線ポートの受信周波数を前記アップリンクのプライマリコンポーネントキャリア信号の周波数に変更させて前記アップリンクのプライマリコンポーネントキャリア信号の試験を行なうステップと、
前記送受信無線ポートの受信周波数を前記アップリンクのセカンダリコンポーネントキャリア信号の周波数に変更させて前記アップリンクのセカンダリコンポーネントキャリア信号の試験を行なうステップと、を備えるアップリンク信号試験方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行ない、この通信の内容を確認する試験を行なっている。
【０００３】
また、無線通信の規格を作成している３ＧＰＰ（3rd Generation Partnership Project）では、ＬＴＥ−Ａ（Long Term Evolution-Advanced）の規格のなかで、キャリアアグリゲーション（Carrier Aggregation）技術が導入されている。このキャリアアグリゲーションは、複数のＬＴＥキャリアを同時に用いて通信を行なうことで、伝送速度の向上を図るものである。
【０００４】
キャリアアグリゲーションにおいては、コンポーネントキャリア（以下、ＣＣともいう）と呼ばれるＬＴＥキャリアを複数用いて通信を行なうが、各ＣＣの周波数の配置により、Intra-band contiguous CA（連続した周波数配置の複数のＣＣによるキャリアアグリゲーション）、Intra-band non-contiguous CA（同じ周波数バンドで非連続の周波数配置の複数のＣＣによるキャリアアグリゲーション）、Inter-band CA（異なる周波数バンドで非連続の周波数配置の複数のＣＣによるキャリアアグリゲーション）の３つに分類される。
【０００５】
キャリアアグリゲーションでは、移動体通信端末が基地局との接続を維持するために必要なＣＣである１つのプライマリコンポーネントキャリア（以下、ＰＣＣともいう）と、移動体通信端末と基地局との伝送速度を向上させるために使用されるＣＣである１つ以上のセカンダリコンポーネントキャリア（以下、ＳＣＣともいう）とにより通信が行なわれる。
【０００６】
特許文献１には、キャリアアグリゲーションの試験を行なうことができるようにした試験装置が記載されている。
【先行技術文献】
【特許文献】
【０００７】
【特許文献１】特開２０１４−２７６５６号公報
【発明の概要】
【発明が解決しようとする課題】
【０００８】
３ＧＰＰ  Ｒｅｌｅａｓｅ１０以降の規格では、アップリンク（移動体通信端末から基地局に向かうリンク）についてもキャリアアグリゲーション技術を適用するようになっている。
【０００９】
３ＧＰＰの規格では、試験時の移動体通信端末（ＤＵＴ：Device Under Test）と移動端末試験装置とを接続するアンテナコネクタ構成を３種類規定している。移動端末試験装置は、３種類のアンテナコネクタ構成のＤＵＴのいずれに対しても試験可能な構成となっていなければならない。
【００１０】
しかしながら、従来の移動端末試験装置にあっては、ＤＵＴとのアンテナコネクタを接続する無線ポートについて、決められた信号の受信しかできない場合があり、ＤＵＴのアンテナコネクタ構成によって、移動端末試験装置とＤＵＴとの間に結合器や分配器等を組み合わせて接続して測定系を作る必要があった。
【００１１】
そこで、本発明は、無線ポートの受信信号に対する処理を変更可能にして、簡易に測定系を構築することができる移動端末試験装置を提供することを目的としている。
【課題を解決するための手段】
【００１２】
本発明の移動端末試験装置は、移動端末との間で無線信号を送信または送受信する複数の無線ポートを有し、この無線ポートはアンテナ構成がそれぞれ異なる各移動端末のアンテナと接続可能な移動端末試験装置であって、複数の無線ポートの一部をなす送受信無線ポートと、送受信無線ポートにアップリンクのプライマリコンポーネントキャリア信号とアップリンクのセカンダリコンポーネントキャリア信号を合わせた信号が入力される場合、送受信無線ポートの受信周波数をアップリンクのプライマリコンポーネントキャリア信号の周波数に変更させてアップリンクのプライマリコンポーネントキャリア信号の試験を行なわせ、送受信無線ポートの受信周波数をアップリンクのセカンダリコンポーネントキャリア信号の周波数に変更させてアップリンクのセカンダリコンポーネントキャリア信号の試験を行なわせる制御部と、を備えるものである。
【００１３】
この構成により、プライマリコンポーネントキャリアとセカンダリコンポーネントキャリアの信号の周波数の配置が離れたアップリンク信号を同一の無線ポートで受信する場合でも、移動端末との間に結合器や分配器等を接続することなく、簡易に測定系を構築することができる。
【００１４】
また、本発明の移動端末試験装置において、制御部は、アップリンクのプライマリコンポーネントキャリア信号とアップリンクのセカンダリコンポーネントキャリア信号の周波数が隣接している場合、アップリンクのプライマリコンポーネントキャリア信号とアップリンクのセカンダリコンポーネントキャリア信号の周波数帯域を合算した帯域で受信させて試験を実施させるものである。
【００１５】
この構成により、アップリンクのプライマリコンポーネントキャリアとセカンダリコンポーネントキャリアの信号の周波数の配置が隣接している場合に、受信周波数を変えることなく試験を実施することができ、試験時間を短縮させることができる。
【００１６】
また、本発明の移動端末試験装置において、制御部は、試験実施前に、ＴＰＣ（Transmission Power Control）コマンドによりアップリンクのプライマリコンポーネントキャリア信号とアップリンクのセカンダリコンポーネントキャリア信号の出力レベルを調整させるものである。
【００１７】
この構成により、アップリンク信号の出力レベルを試験に適したレベルに調整することができ、精度良く試験を実施することができる。
【００１８】
また、本発明の移動端末試験装置において、制御部は、試験実施中に、ＴＰＣコマンドによりアップリンクのプライマリコンポーネントキャリア信号とアップリンクのセカンダリコンポーネントキャリア信号の出力レベルを固定させるものである。
【００１９】
この構成により、試験中のアップリンク信号の出力レベルを安定させることができ、精度良く試験を実施することができる。
【００２０】
本発明のアップリンク信号試験方法は、移動端末との間で無線信号を送受信する送受信無線ポートを有する移動端末試験装置のアップリンク信号試験方法であって、送受信無線ポートにアップリンクのプライマリコンポーネントキャリア信号とアップリンクのセカンダリコンポーネントキャリア信号を合わせた信号が入力される場合、送受信無線ポートの受信周波数をアップリンクのプライマリコンポーネントキャリア信号の周波数に変更させてアップリンクのプライマリコンポーネントキャリア信号の試験を行なうステップと、送受信無線ポートの受信周波数をアップリンクのセカンダリコンポーネントキャリア信号の周波数に変更させてアップリンクのセカンダリコンポーネントキャリア信号の試験を行なうステップと、を備えるものである。
【００２１】
この構成により、プライマリコンポーネントキャリアとセカンダリコンポーネントキャリアの信号の周波数の配置が離れたアップリンク信号を同一の無線ポートで受信する場合でも、移動端末との間に結合器や分配器等を接続することなく、簡易に測定系を構築することができる。
【発明の効果】
【００２２】
本発明は、無線ポートの受信信号に対する処理を変更可能にして、簡易に測定系を構築することができる移動端末試験装置を提供することができる。
【図面の簡単な説明】
【００２３】
【図１】図１は、本発明の一実施形態に係る移動端末試験装置のブロック図である。
【図２】図２は、本発明の一実施形態に係る移動端末試験装置のＰＣＣとＳＣＣが別々のコネクタを使う構成の移動体通信端末との接続形態を示す図である。
【図３】図３は、本発明の一実施形態に係る移動端末試験装置のＰＣＣとＳＣＣが共通のコネクタを使う構成の移動体通信端末との接続形態を示す図である。
【図４】図４は、本発明の一実施形態に係る移動端末試験装置のＰＣＣとＳＣＣが共通のコネクタを使いアップリンクの送信アンテナが別々の構成の移動体通信端末との接続形態を示す図である。
【図５】図５は、本発明の一実施形態に係る移動端末試験装置の移動体通信端末のＰＣＣ及びＳＣＣの送信パワーを調整する処理を示すフローチャートである。
【図６】図６は、本発明の一実施形態に係る移動端末試験装置のＰＣＣとＳＣＣが共通のコネクタを使う構成のIntra-band contiguous CAの場合の受信試験手順を示すシーケンス図である。
【図７】図７は、本発明の一実施形態に係る移動端末試験装置のＰＣＣとＳＣＣが共通のコネクタを使う構成でのInter-band CAの場合の受信試験手順を示すシーケンス図である。
【図８】図８は、本発明の一実施形態に係る移動端末試験装置のアップリンクのＰＣＣとＳＣＣが別々のコネクタを使う構成での受信試験手順を示すシーケンス図である。
【発明を実施するための形態】
【００２４】
以下、図面を参照して、本発明の実施形態について詳細に説明する。
図１において、本発明の一実施形態に係る移動端末試験装置１は、擬似基地局として同軸ケーブル等を介して有線でＤＵＴ２（図２〜４参照）と無線信号を送受信するようになっている。移動端末試験装置１は、ＬＴＥ−Ａの規格に対応しており、アップリンクにおいてもキャリアアグリゲーション技術によりＤＵＴ２との間で通信できるようになっている。
【００２５】
移動端末試験装置１は、無線信号処理部１０と、無線ハードウェア制御部１１と、２つのコールプロセッシング部１２−０、１と、２つの無線信号測定部１３−０、１と、ユーザインターフェース部１４と、制御部１５とを含んで構成されている。
【００２６】
無線信号処理部１０は、ＤＵＴ２との間で無線信号を送受信するものである。無線信号処理部１０は、コールプロセッシング部１２−０、１の送信データを符号化や、変調、周波数変換などして無線信号を生成して送信する。また、無線信号処理部１０は、ＤＵＴ２から受信した無線信号を周波数変換や、復調、復号などしてコールプロセッシング部１２−０、１に出力する。
【００２７】
無線信号処理部１０は、４個の無線ポート１０１〜１０４を備えている。第１の無線ポート１０１と第３の無線ポート１０３は、無線信号の送受信ができるようになっている。第２の無線ポート１０２と第４の無線ポート１０４は、無線信号の送信のみができるようになっている。すなわち、第１の無線ポート１０１と第３の無線ポート１０３は、ＤＵＴ２のダウンリンク（基地局から移動体通信端末に向かうリンク）の受信アンテナ及びＤＵＴ２のアップリンクの送信アンテナと接続するようになっている。第２の無線ポート１０２と第４の無線ポート１０４は、ＤＵＴ２のダウンリンクの受信アンテナと接続するようになっている。
【００２８】
無線信号処理部１０は、第１の無線ポート１０１と第３の無線ポート１０３から受信した受信信号をコールプロセッシング部１２−０、１に出力する。無線信号処理部１０は、コールプロセッシング部１２−０、１の送信データを、結合したり単一ＣＣの信号として送信したりすることができる。また、無線信号処理部１０は、コールプロセッシング部１２−０、１の送信データを、任意の無線ポート１０１〜１０４から出力することができる。
【００２９】
無線ハードウェア制御部１１は、無線信号処理部１０を制御して、無線信号の送受信レベルや周波数を制御するものである。
【００３０】
コールプロセッシング部１２−０、１は、無線信号処理部１０及び無線ハードウェア制御部１１と接続され、設定されたパラメータに従って無線ハードウェア制御部１１に設定信号を送信して無線信号処理部１０に試験条件に適合した無線信号を送信させる。また、コールプロセッシング部１２−０、１は、無線信号処理部１０を介して、ＤＵＴ２との間で無線信号を送受信して、コンポーネントキャリアとしての試験条件に適合した呼接続をＤＵＴ２との間で行なったり、試験条件に対応したコンポーネントキャリアとしての呼制御を行なったりするものである。すなわち、一つのコールプロセッシング部１２−０、１が一つのコンポーネントキャリアとして動作する。
【００３１】
本実施形態の移動端末試験装置１は、複数のコールプロセッシング部１２−０、１を備え、複数のコンポーネントキャリアによるキャリアアグリゲーションに対応するようになっている。
【００３２】
無線信号測定部１３−０、１は、無線信号処理部１０と接続され、無線信号処理部１０の送受信する無線信号の送受信レベルやスループットなどを測定し、測定結果を制御部１５に出力するようになっている。制御部１５は、無線信号測定部１３−０、１からの測定結果を時刻情報などと関連付けてハードディスク等に記憶しておき、ユーザの要求によりユーザインターフェース部１４に表示出力させたり、ログとしてファイルに出力したりするようになっている。
【００３３】
ユーザインターフェース部１４は、ユーザからの操作入力を受け付ける入力部１４１と、試験用パラメータの設定画面や無線信号測定部１３の測定結果などを表示する表示部１４２とを備えている。入力部１４１は、タッチパッドやキーボードやプッシュボタンなどによって構成される。表示部１４２は、液晶表示装置などによって構成される。
【００３４】
制御部１５は、図示しないＣＰＵ（Central Processing Unit）と、ＲＡＭ（Random Access Memory）と、ＲＯＭ（Read Only Memory）と、ハードディスク装置と、入出力ポートとを備えたコンピュータユニットによって構成されている。
【００３５】
制御部１５のＲＯＭ及びハードディスク装置には、各種制御定数や各種マップ等とともに、当該コンピュータユニットを制御部１５として機能させるためのプログラムが記憶されている。すなわち、制御部１５において、ＣＰＵがＲＯＭ及びハードディスク装置に記憶されたプログラムを実行することにより、当該コンピュータユニットは、制御部１５として機能する。
【００３６】
制御部１５の入出力ポートには、無線ハードウェア制御部１１、コールプロセッシング部１２−０、１、無線信号測定部１３−０、１、ユーザインターフェース部１４が接続され、制御部１５と各部は信号の送受信をできるようになっている。
【００３７】
なお、本実施形態において、無線ハードウェア制御部１１、コールプロセッシング部１２−０、１、無線信号測定部１３−０、１は、各処理を実行するようにプログラミングされたＤＳＰ（Digital Signal Processor）等のプロセッサによってそれぞれ構成されている。また、無線信号処理部１０は、通信モジュールによって構成されている。
【００３８】
制御部１５は、表示部１４２に表示させたパラメータ設定画面に従って設定されたパラメータに基づいて、無線ハードウェア制御部１１に設定信号を送信して無線信号処理部１０による無線信号のパラメータを制御したり、コールプロセッシング部１２−０、１に設定パラメータを通知してＣＣのパラメータを制御して試験のための設定を行なったりして、無線信号測定部１３により測定を行なうようになっている。
【００３９】
また、制御部１５は、入力部１４１に入力された指示に従って、無線ハードウェア制御部１１及びコールプロセッシング部１２−０、１に信号を送信して、試験用の呼制御などを行なわせるようになっている。
【００４０】
具体的には、まず、ユーザにより試験に使用するＣＣのパラメータ設定が行なわれる。制御部１５は、ユーザによる入力部１４１の操作によりパラメータ設定の機能が選択されると、例えば、表示部１４２にパラメータ設定画面を表示させて、各ＣＣのデュプレックスモードやチャネル帯域幅などのパラメータを設定させる。
【００４１】
ユーザは、目的の試験に合わせてパラメータをＣＣごとに設定する。制御部１５は、設定されたパラメータをＣＣごとにハードディスク装置に記憶するとともに、対応するコールプロセッシング部１２−０、１にパラメータを通知し、コールプロセッシング部１２−０、１が設定されたパラメータに従ってＣＣの制御をできるようにする。
【００４２】
パラメータを設定した後、ユーザは、移動端末試験装置１とＤＵＴ２とを有線で接続して測定系を構築する。３ＧＰＰでは、試験対象となるＤＵＴ２のアンテナコネクタ構成が３種類規定されている。
【００４３】
図２は、ＰＣＣとＳＣＣが別々のコネクタを使う構成のＤＵＴ２の接続形態を示している。なお、図中「ｐ」はプライマリコンポーネントキャリア、「ｓ」はセカンダリコンポーネントキャリアの信号を示す。
【００４４】
図２に示すように、第１の無線ポート１０１は、ＤＵＴ２のＰＣＣの送受信アンテナ（プライマリアンテナ）へ接続され、第２の無線ポート１０２は、ＤＵＴ２のＰＣＣの受信アンテナ（セカンダリアンテナ）へ接続され、第３の無線ポート１０３は、ＤＵＴ２のＳＣＣの送受信アンテナへ接続され、第４の無線ポート１０４は、ＤＵＴ２のＳＣＣの受信アンテナへ接続される。
【００４５】
この場合、制御部１５は、送信処理においては、無線ハードウェア制御部１１により、無線信号処理部１０に、各無線ポートに対応するＣＣの信号のみの送信を行なうように設定する。また、制御部１５は、受信処理においては、無線ハードウェア制御部１１により、無線信号処理部１０に、各無線ポートに対応するＣＣの周波数や帯域の条件に合わせて受信を行ない対応するコールプロセッシング部１２−０、１に出力させるとともに、無線信号測定部１３−０、１にも出力させる。
【００４６】
図３は、ＰＣＣとＳＣＣが共通のコネクタを使う構成のＤＵＴ２の接続形態を示している。
【００４７】
図３に示すように、第１の無線ポート１０１は、ＤＵＴ２のＰＣＣ及びＳＣＣの送受信アンテナへ接続され、第２の無線ポート１０２は、ＤＵＴ２のＰＣＣ及びＳＣＣの受信アンテナへ接続される。なお、ＤＵＴ２がこのようなアンテナコネクタ構成の場合、第３の無線ポート１０３と第４の無線ポート１０４に別のＤＵＴ２を接続するようにしてもかまわない。このようにすると、移動端末試験装置１一台で２台のＤＵＴ２を一度に試験することができる。
【００４８】
この場合、制御部１５は、送信処理においては、無線ハードウェア制御部１１により、無線信号処理部１０に、各無線ポートにＰＣＣとＳＣＣを結合した信号を送信するように設定する。また、制御部１５は、受信処理においては、無線ハードウェア制御部１１により、無線信号処理部１０に、Intra-band non-contiguous CAやInter-band CAの場合は、単一無線ポートでＰＣＣ及びＳＣＣの両方の信号を受信できるように各ＣＣの周波数に合わせて受信周波数を変えて受信を行なわせて、対応するコールプロセッシング部１２−０、１に出力させるとともに、無線信号測定部１３−０、１にも出力させる。また、制御部１５は、受信処理において、Intra-band contiguous CAの場合は、無線ハードウェア制御部１１により、無線信号処理部１０に、ＰＣＣとＳＣＣの合算の帯域で受信を行ない対応するコールプロセッシング部１２−０、１に振り分けて出力させるとともに、無線信号測定部１３−０、１のいずれかに出力させる。
【００４９】
図４は、ＰＣＣとＳＣＣが共通のコネクタを使いアップリンクの送信アンテナが別々の構成のＤＵＴ２の接続形態を示している。
【００５０】
図４に示すように、第１の無線ポート１０１は、ＤＵＴ２のＰＣＣの送受信アンテナ及びＳＣＣの受信アンテナに接続され、第３の無線ポート１０３は、ＤＵＴ２のＳＣＣの送受信アンテナ及びＰＣＣの受信アンテナに接続される。この場合、制御部１５は、送信処理においては、無線ハードウェア制御部１１により、無線信号処理部１０に、各無線ポートにＰＣＣとＳＣＣを結合した信号を送信するように設定する。また、制御部１５は、受信処理においては、無線ハードウェア制御部１１により、無線信号処理部１０に、各無線ポートに対応するＣＣの周波数や帯域の条件に合わせて受信を行ない対応するコールプロセッシング部１２−０、１に出力させるとともに、無線信号測定部１３−０、１にも出力させる。
【００５１】
ユーザは、上記いずれかの接続形態により移動端末試験装置１とＤＵＴ２とを接続し、接続した形態を入力部１４１の操作により移動端末試験装置１に設定する。制御部１５は、設定された接続形態に合わせて、上述したような、無線ポート１０１〜１０４からの受信信号のコールプロセッシング部１２−０、１への割り当てやコールプロセッシング部１２−０、１の送信信号の出力先無線ポート１０１〜１０４の設定などを行なう。
【００５２】
このように、本実施形態の移動端末試験装置１では、ＤＵＴ２との間をアンテナコネクタで接続するのみで、３ＧＰＰで規定された３種類のアンテナコネクタ構成に対応した測定系を構築することができ、ＤＵＴ２との間に結合器や分配器等を接続することなく、簡易に測定系を構築することができる。
【００５３】
その後、ユーザは、ＤＵＴ２の電源を入れるなどして位置登録を行なわせ、移動端末試験装置１側で位置登録が正常に行なわれたか確認する。
【００５４】
制御部１５は、位置登録が行なわれた状態で、ユーザによる入力部１４１の操作により呼接続の操作が行なわれると、ユーザに指定されたＣＣに対応するコールプロセッシング部１２−０、１に呼接続の指示を送信し、呼接続を行なわせる。
【００５５】
制御部１５は、呼接続が行なわれた状態で、ユーザによる入力部１４１の操作により送信試験の実行の操作が行なわれると、無線信号測定部１３−０、１に試験実行の指示を送信して、送信信号の試験を行なわせ、無線信号測定部１３−０、１から試験結果の情報を受信すると、ログとしてハードディスク装置に記憶するとともに、表示部１４２に結果等を表示させる。
【００５６】
また、制御部１５は、呼接続が行なわれた状態で、ユーザによる入力部１４１の操作により受信試験の実行の操作が行なわれると、呼接続されたＣＣに対応するコールプロセッシング部１２−０、１に試験実行の指示を送信して、ＤＵＴ２の送信信号の出力レベルを調節させ、無線信号測定部１３−０、１に試験実行の指示を送信して、受信信号の測定を行なわせ、無線信号測定部１３−０、１から測定結果の情報を受信すると、ログとしてハードディスク装置に記憶するとともに、表示部１４２に結果等を表示させる。
【００５７】
このような移動端末試験装置１によりアップリンクのキャリアアグリゲーションの試験を行なう場合、ユーザは、ＰＣＣとしてのＣＣのパラメータの設定と、ＳＣＣとしてのＣＣのパラメータ設定を行ない、移動端末試験装置１とＤＵＴ２とを接続し、位置登録を行なわせる。
【００５８】
制御部１５は、位置登録が行なわれた状態で、ユーザによる入力部１４１の操作により呼接続の操作が行なわれると、ＰＣＣとして設定されたＣＣに対応するコールプロセッシング部１２−０に呼接続の指示を送信し、呼接続を行なわせる。
【００５９】
その後、制御部１５は、ユーザによる入力部１４１の操作によりＳＣＣの呼接続の操作が行なわれると、ＰＣＣとして設定されたＣＣに対応するコールプロセッシング部１２−０にＳＣＣの呼接続の指示を送信し、ＳＣＣとして設定されたＣＣに対応するコールプロセッシング部１２−１に呼接続の指示を送信し、呼接続を行なわせる。
【００６０】
このようにして、ユーザは、試験条件に合ったＰＣＣ及びＳＣＣでの呼接続を行なわせ、アップリンクのキャリアアグリゲーションでの受信試験を行なう。
【００６１】
ユーザによる入力部１４１の操作により測定開始が指示されると、制御部１５は、コールプロセッシング部１２−０、１によりＤＵＴ２からのＰＣＣ及びＳＣＣの送信パワーを予め設定されたレベルになるように図５に示すフローチャートの手順で調整させる。
【００６２】
図５に示すように、制御部１５は、ＰＣＣに対応するコールプロセッシング部１２−０にＰＣＣの受信に設定された無線ポートでＰＣＣの受信を行なわせる（ステップＳ１１）。
【００６３】
そして、制御部１５は、コールプロセッシング部１２−０にＰＣＣの受信に設定された無線ポートでＰＣＣのパワーが所定のレベルになるようにＴＰＣコマンドを送信させＤＵＴ２の送信パワーを制御するとともに、ＳＣＣに対応するコールプロセッシング部１２−１にＳＣＣの受信に設定された無線ポートでＳＣＣのパワー制御のためのＴＰＣコマンドを常に0dB（パワーの増減を行なわない）で送信させる（ステップＳ１２）。
【００６４】
ＰＣＣのパワーが所定のレベルになると、制御部１５は、コールプロセッシング部１２−０にＰＣＣの受信に設定された無線ポートでＰＣＣのパワー制御のためのＴＰＣコマンドを常に0dB（パワーの増減を行なわない）で送信させるとともに、図３に示したアンテナコネクタ構成のように１つの無線ポートでＰＣＣとＳＣＣの両方を受信する場合は無線ハードウェア制御部１１にＳＣＣの受信に設定された無線ポートの受信周波数をＳＣＣの周波数に切替えさせる（ステップＳ１３）。
【００６５】
次いで、制御部１５は、コールプロセッシング部１２−１にＳＣＣの受信に設定された無線ポートでＳＣＣの受信を行なわせる（ステップＳ１４）。
【００６６】
そして、制御部１５は、コールプロセッシング部１２−１にＳＣＣの受信に設定された無線ポートでＳＣＣのパワーが所定のレベルになるようにＴＰＣコマンドを送信させＤＵＴ２の送信パワーを制御する（ステップＳ１５）。
【００６７】
ＳＣＣのパワーが所定のレベルになると、図３に示したアンテナコネクタ構成のように１つの無線ポートでＰＣＣとＳＣＣの両方を受信する場合には、制御部１５は、無線ハードウェア制御部１１にＰＣＣの受信に設定された無線ポートの受信周波数をＰＣＣの周波数に切替えさせる（ステップＳ１６）。
【００６８】
このようにして、ＤＵＴ２からのＰＣＣ及びＳＣＣの送信パワーを調整したあと、制御部１５は、受信試験の手順を行なう。
【００６９】
図３に示したＰＣＣとＳＣＣが共通のコネクタを使う構成でのＣＣの周波数の配置がIntra-band contiguous CAの場合の受信試験時の手順を図６のシーケンス図で説明する。
【００７０】
図６に示すように、まず、制御部１５は、コールプロセッシング部１２−０、１に「測定前準備指示」を送信する（ステップＳ２１）。
【００７１】
コールプロセッシング部１２−０、１は、「測定前準備指示」を受信すると、送信するＴＰＣコマンドを0dB固定とするとともに、ＨＡＲＱ−ＡＣＫ（Hybrid Automatic Repeat request-ACKnowledge）情報に常にＡＣＫ（ACKnowledge）を設定するようにし（ステップＳ２２）、制御部１５に「測定前準備完了」を送信する（ステップＳ２３）。
【００７２】
制御部１５は、コールプロセッシング部１２−０、１から「測定前準備完了」を受信すると、無線信号測定部１３−０にアップリンクのＰＣＣの周波数やアップリンクのＰＣＣとＳＣＣの合算の周波数帯域などの受信試験内容を含んだ「測定前準備指示」を送信する（ステップＳ２４）。
【００７３】
無線信号測定部１３−０は、「測定前準備指示」を受信すると、「測定前準備指示」に含まれた受信試験内容に基づいて測定前準備を行ない、測定前準備が完了したら「測定前準備完了」を制御部１５に送信し（ステップＳ２５）、アップリンクのＰＣＣの周波数を基準としてアップリンクのＰＣＣとＳＣＣの周波数帯域を合算した全帯域で受信信号の測定を行なう（ステップＳ２６）。
【００７４】
無線信号測定部１３−０は、受信信号の測定が終わると、制御部１５に測定結果を含んだ「試験結果報告」を送信する（ステップＳ２７）。
【００７５】
制御部１５は、無線信号測定部１３−０から「試験結果報告」を受信すると、「試験結果報告」に含まれる測定結果情報などをハードディスク装置に記憶する。そして、制御部１５は、コールプロセッシング部１２−０、１に「測定完了通知」を送信する（ステップＳ２８）。
【００７６】
コールプロセッシング部１２−０、１は、「測定完了通知」を受信すると、測定前に変更した設定を元に戻し（ステップＳ２９）、「処理完了通知」を制御部１５に送信する（ステップＳ３０）。
【００７７】
このように、ＣＣの周波数の配置がIntra-band contiguous CAの場合ＰＣＣとＳＣＣの周波数帯域を合算した帯域で測定を行なうので、別々に測定する場合に比べ、試験時間を短縮させることができる。
【００７８】
次に、図３に示したＰＣＣとＳＣＣが共通のコネクタを使う構成でのＣＣの周波数の配置がInter-band CAの場合の受信試験時の手順を説明する。
【００７９】
まず、制御部１５は、上述の図５の処理によりＤＵＴ２からのＰＣＣ及びＳＣＣの送信パワーを調整したあと、図７のシーケンス図の手順で試験を行なう。
【００８０】
図７に示すように、まず、制御部１５は、コールプロセッシング部１２−０、１に「測定前準備指示」を送信する（ステップＳ４１）。
【００８１】
コールプロセッシング部１２−０、１は、「測定前準備指示」を受信すると、送信するＴＰＣコマンドを0dB固定とするとともに、ＨＡＲＱ−ＡＣＫ情報に常にＡＣＫを設定するようにし（ステップＳ４２）、制御部１５に「測定前準備完了」を送信する（ステップＳ４３）。
【００８２】
制御部１５は、コールプロセッシング部１２−０、１から「測定前準備完了」を受信すると、無線信号測定部１３−０にアップリンクのＰＣＣの周波数やアップリンクのＰＣＣの周波数帯域などの受信試験内容を含んだ「ＰＣＣ測定前準備指示」を送信する（ステップＳ４４）。
【００８３】
無線信号測定部１３−０は、「ＰＣＣ測定前準備指示」を受信すると、「ＰＣＣ測定前準備指示」に含まれた受信試験内容に基づいて測定前準備を行ない、測定前準備が完了したら「ＰＣＣ測定前準備完了」を制御部１５に送信し（ステップＳ４５）、アップリンクのＰＣＣの周波数を基準としてアップリンクのＰＣＣの周波数帯域で受信信号の測定を行なう（ステップＳ４６）。
【００８４】
無線信号測定部１３−０は、受信信号の測定が終わると、制御部１５に測定結果を含んだ「ＰＣＣ試験結果報告」を送信する（ステップＳ４７）。
【００８５】
制御部１５は、無線信号測定部１３−０から「ＰＣＣ試験結果報告」を受信すると、「ＰＣＣ試験結果報告」に含まれる測定結果情報などをハードディスク装置に記憶する。そして、制御部１５は、無線信号測定部１３−０にアップリンクのＳＣＣの周波数やアップリンクのＳＣＣの周波数帯域などの受信試験内容を含んだ「ＳＣＣ測定前準備指示」を送信する（ステップＳ４８）。
【００８６】
無線信号測定部１３−０は、「ＳＣＣ測定前準備指示」を受信すると、「ＳＣＣ測定前準備指示」に含まれた受信試験内容に基づいて無線ハードウェア制御部１１にＳＣＣの受信に設定された第１の無線ポート１０１の情報とアップリンクのＳＣＣの周波数を含む「周波数切替指示」を送信する（ステップＳ４９）。
【００８７】
無線ハードウェア制御部１１は、「周波数切替指示」を受信すると、「周波数切替指示」に含まれる情報に基づいて、第１の無線ポート１０１の周波数をアップリンクのＳＣＣの周波数に変更し（ステップＳ５０）、無線信号測定部１３−０に「周波数切替完了」を送信する（ステップＳ５１）。
【００８８】
無線信号測定部１３−０は、無線ハードウェア制御部１１から「周波数切替完了」を受信すると、「ＳＣＣ測定前準備完了」を制御部１５に送信し（ステップＳ５２）、アップリンクのＳＣＣの周波数を基準としてアップリンクのＳＣＣの周波数帯域で受信信号の測定を行なう（ステップＳ５３）。
【００８９】
無線信号測定部１３−０は、受信信号の測定が終わると、無線ハードウェア制御部１１に第１の無線ポート１０１の情報とアップリンクのＰＣＣの周波数を含む「周波数切替指示」を送信する（ステップＳ５４）。
【００９０】
無線ハードウェア制御部１１は、「周波数切替指示」を受信すると、「周波数切替指示」に含まれる情報に基づいて、第１の無線ポート１０１の周波数をアップリンクのＰＣＣの周波数に変更し（ステップＳ５５）、無線信号測定部１３−０に「周波数切替完了」を送信する（ステップＳ５６）。
【００９１】
無線信号測定部１３−０は、無線ハードウェア制御部１１から「周波数切替完了」を受信すると、制御部１５に測定結果を含んだ「ＳＣＣ試験結果報告」を送信する（ステップＳ５７）。
【００９２】
制御部１５は、無線信号測定部１３−０から「ＳＣＣ試験結果報告」を受信すると、「ＳＣＣ試験結果報告」に含まれる測定結果情報などをハードディスク装置に記憶する。そして、制御部１５は、コールプロセッシング部１２−０、１に「測定完了通知」を送信する（ステップＳ５８）。
【００９３】
コールプロセッシング部１２−０、１は、「測定完了通知」を受信すると、測定前に変更した設定を元に戻し（ステップＳ５９）、「処理完了通知」を制御部１５に送信する（ステップＳ６０）。
【００９４】
このように、Inter-band CAのようにＣＣの周波数の配置が離れたＰＣＣとＳＣＣを同一の無線ポートで受信する場合でも、受信周波数を変えて各ＣＣの信号を受信し、アップリンクのキャリアアグリゲーションの受信試験を実施することができ、ＤＵＴ２との間に結合器や分配器等を接続することなく、簡易に測定系を構築することができる。
【００９５】
次に、図２または図４に示したアップリンクのＰＣＣとＳＣＣが別々のコネクタを使う構成での受信試験時の手順を説明する。
【００９６】
まず、制御部１５は、上述の図５の処理によりＤＵＴ２からのＰＣＣ及びＳＣＣの送信パワーを調整したあと、図８のシーケンス図の手順で試験を行なう。
【００９７】
図８に示すように、まず、制御部１５は、コールプロセッシング部１２−０、１に「測定前準備指示」を送信する（ステップＳ７１）。
【００９８】
コールプロセッシング部１２−０、１は、「測定前準備指示」を受信すると、送信するＴＰＣコマンドを0dB固定とするとともに、ＨＡＲＱ−ＡＣＫ情報に常にＡＣＫを設定するようにし（ステップＳ７２）、制御部１５に「測定前準備完了」を送信する（ステップＳ７３）。
【００９９】
制御部１５は、コールプロセッシング部１２−０、１から「測定前準備完了」を受信すると、ＰＣＣに対応する無線信号測定部１３−０にアップリンクのＰＣＣの周波数やアップリンクのＰＣＣの周波数帯域などの受信試験内容を含んだ「ＰＣＣ測定前準備指示」を送信する（ステップＳ７４）。
【０１００】
無線信号測定部１３−０は、「ＰＣＣ測定前準備指示」を受信すると、「ＰＣＣ測定前準備指示」に含まれた受信試験内容に基づいて測定前準備を行ない、測定前準備が完了したら「ＰＣＣ測定前準備完了」を制御部１５に送信する（ステップＳ７５）。
【０１０１】
制御部１５は、無線信号測定部１３−０から「ＰＣＣ測定前準備完了」を受信すると、続けて、ＳＣＣに対応する無線信号測定部１３−１にアップリンクのＳＣＣの周波数やアップリンクのＳＣＣの周波数帯域などの受信試験内容を含んだ「ＳＣＣ測定前準備指示」を送信する（ステップＳ７６）。
【０１０２】
無線信号測定部１３−１は、「ＳＣＣ測定前準備指示」を受信すると、「ＳＣＣ測定前準備指示」に含まれた受信試験内容に基づいて測定前準備を行ない、測定前準備が完了したら「ＳＣＣ測定前準備完了」を制御部１５に送信する（ステップＳ７７）。
【０１０３】
そして、無線信号測定部１３−０は、アップリンクのＰＣＣの周波数を基準としてアップリンクのＰＣＣの周波数帯域で受信信号の測定を行ない（ステップＳ７８）、受信信号の測定が終わると、制御部１５に測定結果を含んだ「ＰＣＣ試験結果報告」を送信する（ステップＳ７９）。
【０１０４】
制御部１５は、無線信号測定部１３−０から「ＰＣＣ試験結果報告」を受信すると、「ＰＣＣ試験結果報告」に含まれる測定結果情報などをハードディスク装置に記憶する。
【０１０５】
また、無線信号測定部１３−１は、アップリンクのＳＣＣの周波数を基準としてアップリンクのＳＣＣの周波数帯域で受信信号の測定を行ない（ステップＳ８０）、受信信号の測定が終わると、制御部１５に測定結果を含んだ「ＳＣＣ試験結果報告」を送信する（ステップＳ８１）。
【０１０６】
制御部１５は、無線信号測定部１３−１から「ＳＣＣ試験結果報告」を受信すると、「ＳＣＣ試験結果報告」に含まれる測定結果情報などをハードディスク装置に記憶する。そして、制御部１５は、コールプロセッシング部１２−０、１に「測定完了通知」を送信する（ステップＳ８２）。
【０１０７】
コールプロセッシング部１２−０、１は、「測定完了通知」を受信すると、測定前に変更した設定を元に戻し（ステップＳ８３）、「処理完了通知」を制御部１５に送信する（ステップＳ８４）。
【０１０８】
このように、アップリンクのＰＣＣとＳＣＣの信号を別々の無線ポートで受信する場合は、各無線ポートの対応するＣＣの周波数や帯域の条件に合わせて受信を行ない、アップリンクのキャリアアグリゲーションの受信試験を実施することができる。
【０１０９】
以上のように、上述の実施形態では、送受信を行なう第１の無線ポート１０１、第３の無線ポート１０３にアップリンクのＰＣＣ信号とアップリンクのＳＣＣ信号を合わせた信号が入力される場合、第１の無線ポート１０１または第３の無線ポート１０３の受信周波数をアップリンクのＰＣＣ信号の周波数に変更させてアップリンクのＰＣＣ信号の試験を行なわせ、第１の無線ポート１０１または第３の無線ポート１０３の受信周波数をアップリンクのＳＣＣ信号の周波数に変更させてアップリンクのＳＣＣ信号の試験を行なわせる制御部１５を備える。
【０１１０】
これにより、Inter-band CAのようにＣＣの周波数の配置が離れたＰＣＣとＳＣＣを同一の無線ポートで受信する場合でも、アップリンクのキャリアアグリゲーションの受信試験を実施することができ、ＤＵＴ２との間に結合器や分配器等を接続することなく、簡易に測定系を構築することができる。
【０１１１】
また、制御部１５は、アップリンクのＰＣＣ信号とアップリンクのＳＣＣ信号の周波数が隣接している場合、アップリンクのＰＣＣ信号とアップリンクのＳＣＣ信号の周波数帯域を合算した帯域で受信させて試験を実施させる。
【０１１２】
これにより、ＰＣＣとＳＣＣの周波数帯域を合算した帯域で測定を行なうので、別々に測定する場合に比べ、試験時間を短縮させることができる。
【０１１３】
また、制御部１５は、試験実施前に、ＴＰＣコマンドによりアップリンクのＰＣＣ信号とアップリンクのＳＣＣ信号の出力レベルを調整させる。
【０１１４】
これにより、アップリンク信号の出力レベルを試験に適したレベルに調整することができ、精度良く試験を実施することができる。
【０１１５】
また、制御部１５は、試験実施中に、ＴＰＣコマンドによりアップリンクのＰＣＣ信号とアップリンクのＳＣＣ信号の出力レベルを固定させる。
【０１１６】
これにより、試験中のアップリンク信号の出力レベルを安定させることができ、精度良く試験を実施することができる。
【０１１７】
また、上述の実施形態では、無線信号の送受信を行なう第１の無線ポート１０１、第３の無線ポート１０３と、無線信号の送信を行なう第２の無線ポート１０２、第４の無線ポート１０４とを備えている。
【０１１８】
これにより、３ＧＰＰの規格に記載されたＤＵＴ２のアンテナコネクタ構成のいずれについても、ＤＵＴ２との間に結合器や分配器等を接続することなく、簡易に測定系を構築することができる。
【０１１９】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【０１２０】
１  移動端末試験装置
２  ＤＵＴ（Device Under Test）
１０  無線信号処理部
１１  無線ハードウェア制御部
１２−０、１  コールプロセッシング部
１３−０、１  無線信号測定部
１４  ユーザインターフェース部
１５  制御部
１０１  第１の無線ポート
１０２  第２の無線ポート
１０３  第３の無線ポート
１０４  第４の無線ポート
１４１  入力部
１４２  表示部
【図１】
2016116181.tif 000003
【図２】
2016116181.tif 000004
【図３】
2016116181.tif 000005
【図４】
2016116181.tif 000006
【図５】
2016116181.tif 000007
【図６】
2016116181.tif 000008
【図７】
2016116181.tif 000009
【図８】
2016116181.tif 000010